(57)【要約】【課題】継手口に様々な大きさの口径の排水管を接続することができる。【解決手段】複数の継手口２Ａを有する排水管継手１であって、複数の継手口２Ａのうち、上流側に位置する継手口２Ａに設けられる調整筒１０と、継手口２Ａおよび調整筒１０のうちの少なくとも一方に取付けられるねじ部材２０と、を備え、調整筒１０の内径の大きさは、ねじ部材２０の締め込みの程度によって調整される。【選択図】図１
2019060167.tif 000002
【特許請求の範囲】
【請求項１】
複数の継手口を有する排水管継手であって、
前記複数の継手口のうち、上流側に位置する継手口に設けられる調整筒と、
前記継手口および前記調整筒のうちの少なくとも一方に取付けられるねじ部材と、を備え、
前記調整筒の内径の大きさは、前記ねじ部材の締め込みの程度によって調整されることを特徴とする排水管継手。
【請求項２】
前記調整筒には、軸方向に延びるスリットが、周方向に間隔をあけて複数形成されていることを特徴とする請求項１に記載の排水管継手。
【請求項３】
前記スリットの周方向の大きさは、前記調整筒の軸方向に沿う上流側に向かうに従い漸次、大きくなっていることを特徴とする請求項２に記載の排水管継手。
【請求項４】
前記調整筒には、周方向を向き、かつ前記スリットを画成する閉塞面が複数形成され、
周方向に互いに隣り合う前記閉塞面は、前記調整筒が縮径した際に、互いに当接することを特徴とする請求項２又は３に記載の排水管継手。
【請求項５】
前記閉塞面は、径方向の外側に向かうに従い漸次、周方向のうち、前記ねじ部材が前記継手口に螺着される方向に向けて延びていることを特徴とする請求項４に記載の排水管継手。
【請求項６】
複数の継手口を有する継手本体に取付けられる連結部材であって、
前記複数の継手口のうち、上流側に位置する継手口に設けられる調整筒と、
前記継手口および前記調整筒のうちの少なくとも一方に取付けられるねじ部材と、を備え、
前記調整筒の内径の大きさは、前記ねじ部材の締め込みの程度によって調整されることを特徴とする連結部材。
【発明の詳細な説明】
【技術分野】
【０００１】
本発明は、排水管継手、および連結部材に関する。
【背景技術】
【０００２】
従来から、下記特許文献１に示されるような排水管継手が知られている。このような排水管継手における複数の継手口に排水管を各別に接続することで、複数の排水管同士を互いに接続することができる。
【先行技術文献】
【特許文献】
【０００３】
【特許文献１】特開２０１２−１７２３６１号公報
【発明の概要】
【発明が解決しようとする課題】
【０００４】
しかしながら、前記従来の排水管継手では、継手口の大きさが決められているので、排水管の口径に合わせて、様々な大きさの継手口を有する各種の排水管継手を、それぞれ準備する必要があった。
【０００５】
本発明は、前述した事情に鑑みてなされたものであって、継手口に様々な大きさの口径の排水管を接続することができる排水管継手を提供することを目的とする。
【課題を解決するための手段】
【０００６】
前記課題を解決するために、本発明は以下の手段を提案している。
本発明に係る排水管継手は、複数の継手口を有する排水管継手であって、前記複数の継手口のうち、上流側に位置する継手口に設けられる調整筒と、前記継手口および前記調整筒のうちの少なくとも一方に取付けられるねじ部材と、を備え、前記調整筒の内径の大きさは、前記ねじ部材の締め込みの程度によって調整されることを特徴とする。
【０００７】
また、本発明に係る連結部材は、複数の継手口を有する継手本体に取付けられる連結部材であって、前記複数の継手口のうち、上流側に位置する継手口に設けられる調整筒と、前記継手口および前記調整筒のうちの少なくとも一方に取付けられるねじ部材と、を備え、前記調整筒の内径の大きさは、前記ねじ部材の締め込みの程度によって調整されることを特徴とする。
【０００８】
これらの発明によれば、排水管継手が前記調整筒を備えているので、排水管の口径に合わせて、ねじ部材の締め込みの程度を調整することで、調整筒の内径を任意に変更することができる。これにより、上流側の継手口に、様々な大きさの口径の排水管を、調整筒を介して連結することができる。
【０００９】
また、前記調整筒には、軸方向に延びるスリットが、周方向に間隔をあけて複数形成されてもよい。
【００１０】
この場合には、調整筒の周壁にスリットが複数形成されているので、簡易な構成で調整筒の内径を調整可能にすることができる。
【００１１】
また、前記スリットの周方向の大きさは、前記調整筒の軸方向に沿う上流側に向かうに従い漸次、大きくなってもよい。
【００１２】
この場合には、スリットの周方向の大きさが、軸方向の全域にわたって均一になっている構成と比較して、調整筒の内径を円滑に調整することができる。
【００１３】
また、前記調整筒には、周方向を向き、かつ前記スリットを画成する閉塞面が複数形成され、周方向に互いに隣り合う前記閉塞面は、前記調整筒が縮径した際に、互いに当接してもよい。
【００１４】
この場合には、調整筒が縮径した際に、周方向に互いに隣り合う閉塞面同士が、互いに当接するので、調整筒と排水管との接続部分に、水密性を具備させることができる。
【００１５】
また、前記閉塞面は、径方向の外側に向かうに従い漸次、周方向のうち、前記ねじ部材が前記継手口に螺着される方向に向けて延びてもよい。
【００１６】
この場合には、ねじ部材が調整筒に締め込まれると、周方向に互いに隣り合うスリットの閉塞面同士が、より強固に当接するので、調整筒と排水管との接続部分に、水密性をより一層確実に具備させることができる。
【発明の効果】
【００１７】
本発明によれば、継手口に様々な大きさの口径の排水管を接続することができる。
【図面の簡単な説明】
【００１８】
【図１】本発明の第１実施形態に係る排水管継手の一部断面正面図である。
【図２】図１に示す調整部における先端部のＡ矢視図である。
【図３】図１に示す調整筒におけるねじ部材を取付ける前の状態を示す正面図である。
【図４】本発明の第２実施形態に係る排水管継手の一部断面正面図である。
【発明を実施するための形態】
【００１９】
（第１実施形態）
以下、図１から図３を参照し、本発明の第１実施形態に係る排水管継手１について説明する。
図１に示すように、排水管継手１は、複数の継手口２Ａを有する継手本体２と、継手本体２に取付けられる連結部材３と、を備えている。継手本体２における複数の継手口２Ａには、上流側の排水管Ｐ１、および下流側の排水管Ｐ２が各別に連結される。これにより、図示の例では、上流側の２つの排水管Ｐ１の流路が、下流側の１つの排水管Ｐ２の流路に集約される。下流側の排水管Ｐ２の内径は、上流側の排水管Ｐ１の内径と比較して、同等若しくは大きくなっている。
【００２０】
連結部材３は、上流側の継手口２Ａに設けられる調整筒１０と、継手口２Ａおよび調整筒１０のうちの少なくとも一方に取付けられるねじ部材２０と、を備えている。以下の説明において、調整筒１０の中心軸線Ｏに沿う方向を軸方向といい、調整筒１０における軸方向から見た平面視で中心軸線Ｏと交差する方向を径方向という。また、前記平面視で中心軸線Ｏ回りに周回する方向を周方向という。
【００２１】
調整筒１０は、継手口２Ａに嵌合される嵌合部１１と、外周面に雄ねじ部１２が形成された雄ねじ部１２と、縮径自在に形成された縮径部１３と、を備えている。嵌合部１１、雄ねじ部１２、および縮径部１３は、軸方向に沿ってこの順に配置されている。
図示の例では、調整筒１０は、合成樹脂材料の射出成形により一体に形成されている。なお、調整筒１０のうちの一部が別体により形成されてもよい。
嵌合部１１の外径は雄ねじ部１２の外径よりも小さくなっている。
【００２２】
継手口２Ａには、内径および外径が、他の部分と比べて大きく形成された嵌合凹部２Ｂが形成されている。嵌合凹部２Ｂの内側に、調整筒１０の嵌合部１１が嵌合されている。嵌合部１１は、例えば接着剤等により、嵌合凹部２Ｂの内面に接着されてもよい。
【００２３】
雄ねじ部１２の外径および内径は、軸方向の全域にわたって均一になっている。雄ねじ部１２の軸方向の大きさは、嵌合部１１および縮径部１３よりも大きくなっている。
縮径部１３の軸方向の大きさは、嵌合部１１よりも大きくなっている。縮径部１３のうち、雄ねじ部１２との接続部分である基端部１３Ａの外径は、雄ねじ部１２の外径と同等になっている。
【００２４】
縮径部１３は、周方向に間隔をあけて配置された複数のはね部１３Ｂにより構成されている。複数のはね部１３Ｂそれぞれにおける軸方向および周方向の大きさは、互いに同等となっている。複数のはね部１３Ｂは、縮径部１３の基端部１３Ａから軸方向に延びている。はね部１３Ｂは、例えば弾性を備えたゴム材料等により形成してもよい。
【００２５】
ねじ部材２０は筒状をなし、中心軸線Ｏと同軸に配置されている。本実施形態では、ねじ部材２０は、調整筒１０に取付けられている。ねじ部材２０の内周面には、雌ねじ部２１が形成されている。ねじ部材２０が調整筒１０を径方向の外側から囲繞する際には、ねじ部材２０の雌ねじ部２１が、調整筒１０の雄ねじ部１２に螺着される。
【００２６】
雌ねじ部２１は、ねじ部材２０の内周面における、調整筒１０の軸方向に沿う下流側の端部に配置されている。
ねじ部材２０の内周面のうち、雌ねじ部２１よりも軸方向の上流側に位置する部分には、傾斜面２２が形成されている。傾斜面２２の内径は、軸方向の上流側に向かうに従い漸次、縮径している。
ねじ部材２０の内周面のうち、傾斜面２２よりも軸方向の上流側に位置する部分には、軸方向に真直ぐ延びる先端面２３が形成されている。先端面２３は、ねじ部材２０の内周面のうち、軸方向の上流側の端部に位置している。
【００２７】
図２に示すように、連結部材３はまた、調整筒１０の径方向の内側に配置されるシール筒３０を備えている。シール筒３０は、ゴム材料や軟質のプラスティック材料といった可撓性を有する樹脂材料により形成されている。シール筒３０は調整筒１０と同軸に配置されている。シール筒３０は、調整筒１０の内側のうち、少なくとも縮径部１３の径方向の内側に配置されている。なお、連結部材３はシール筒３０を備えていなくてもよい。
シール筒３０の材料としては、上述の他、シリコン、ＳＢＲ、ウレタン、フッ素ゴム、ＮＢＲ、ＥＰＤＭ等、弾力性があり、汚染されにくいものが好ましい。
【００２８】
そして本実施形態では、調整筒１０の内径の大きさは、ねじ部材２０の締め込みの程度によって調整される。ねじ部材２０が、調整筒１０の雄ねじ部１２に螺着されるに従って、ねじ部材２０は調整筒１０に対して軸方向の下流側に向けて移動する。このため、ねじ部材２０の傾斜面２２が、縮径部１３のはね部１３Ｂに軸方向の上流側から当接する。これにより、はね部１３Ｂは軸方向の上流側に位置する先端部から順次、径方向の内側に向けて変位する。以上のように、ねじ部材２０の締め込みの程度によって調整筒１０の内径の大きさが調整される。
【００２９】
また本実施形態では、図３に示すように、調整筒１０の周壁には、軸方向に延びるスリット１４が、周方向に間隔をあけて複数形成されている。スリット１４は、複数のはね部１３Ｂ同士の間に各別に形成されている。
複数のはね部１３Ｂはそれぞれ、上流側に向かうに従い漸次、周方向の大きさが小さくなる先細り形状をなしている。このため、スリット１４の周方向の大きさは、上流側に向かうに従い漸次、大きくなっている。
【００３０】
また、本実施形態では、調整筒１０には、周方向を向き、かつスリット１４を画成する閉塞面１４Ａが複数形成されている。閉塞面１４Ａは、はね部１３Ｂの外表面のうち、周方向の両外側を向く面に各別に位置している。
閉塞面１４Ａは、径方向の外側に向かうに従い漸次、周方向のうち、ねじ部材２０が継手口２Ａに螺着される方向に向けて延びている。周方向に互いに隣り合う閉塞面１４Ａは、調整筒１０が完全に縮径した際に、互いに当接する。
【００３１】
次に、本実施形態にかかる排水管継手１を用いた排水管Ｐ１、Ｐ２の接続方法について説明する。
図１に示すように、排水管の接続方法では、まず、下流側の排水管Ｐ２に、排水管継手１の継手本体２を連結する。この際、継手口２Ａの嵌合凹部２Ｂ内に、下流側の排水管Ｐ２を嵌合する。下流側の排水管Ｐ２は、例えば接着剤等により、嵌合凹部２Ｂの内面に接着されてもよい。
【００３２】
次に、上流側の排水管Ｐ１を継手本体２に連結する。まず、継手本体２における上流側の継手口２Ａに、調整筒１０の嵌合部１１を嵌合する。そして、上流側の排水管Ｐ１を、ねじ部材２０の内側を挿通しながら、調整筒１０における縮径部１３の内側に挿通する。この際、上流側の排水管Ｐ１を、シール筒３０の内側に同時に挿通する。
【００３３】
そして最後に、ねじ部材２０を調整筒１０の雄ねじ部１２に螺着する。これにより、ねじ部材２０の傾斜面２２が、次第に複数のはね部１３Ｂを径方向の内側に向けて押圧することで、はね部１３Ｂが、シール筒３０を径方向の内側に向けて弾性変形しながら変位する。そして、上流側の排水管Ｐ１の外周面に対して、はね部１３Ｂの先端部がシール筒３０を介して当接した状態で、上流側の排水管Ｐ１が、継手本体２の継手口２Ａに固定される。
【００３４】
以上説明したように、本実施形態に係る排水管継手１、および連結部材３によれば、排水管継手１が調整筒１０を備えているので、排水管の口径に合わせて、ねじ部材２０の締め込みの程度を調整することで、調整筒１０の内径を任意に変更することができる。これにより、上流側の継手口２Ａに、様々な大きさの口径の排水管Ｐ１、Ｐ２を、調整筒１０を介して連結することができる。
【００３５】
また、調整筒１０の周壁にスリット１４が複数形成されているので、簡易な構成で調整筒１０の内径を調整可能にすることができる。
また、スリット１４の周方向の大きさが、上流側に向かうに従い漸次、大きくなっているので、スリット１４の周方向の大きさが、軸方向の全域にわたって均一になっている構成と比較して、調整筒１０の内径を円滑に調整することができる。
【００３６】
また、調整筒１０が縮径した際に、周方向に互いに隣り合う閉塞面１４Ａ同士が、互いに当接するので、調整筒１０と排水管との接続部分に、水密性を具備させることができる。
また、前記閉塞面１４Ａが、径方向の外側に向かうに従い漸次、周方向のうち、ねじ部材２０が継手口２Ａに螺着される方向に向けて延びている。このため、ねじ部材２０が調整筒１０に締め込まれると、周方向に互いに隣り合うスリット１４の閉塞面１４Ａ同士が、より強固に当接することとなり、調整筒１０と排水管Ｐ１との接続部分に、水密性をより一層確実に具備させることができる。
【００３７】
また、調整筒１０が複数のはね部１３Ｂを備えているので、例えばはね部１３Ｂの径方向の内側への変位量を調整することで、上流側の排水管Ｐ１に対する固定力を調整することができる。また、はね部１３Ｂを、例えばゴム材料等により形成することで、排水管Ｐ１の外周面と当接するはね部１３Ｂの先端部に、水密性を具備させることができる。
【００３８】
また、調整筒１０におけるはね部１３Ｂの先端部が、排水管Ｐ１の外周面を径方向の内側に押圧することで、排水管Ｐ１を継手本体２の継手口２Ａに固定する。このため、例えば継手口２Ａの嵌合凹部２Ｂ内に嵌合した排水管Ｐ１を、接着剤により接着して継手口２Ａに固定するような構成と比較して、排水管Ｐ１の固定状態を安定させることができる。
すなわち、接着剤の塗布量のムラ等により、継手口２Ａに対する排水管Ｐ１の固定力がばらついたり、継手口２Ａと排水管Ｐ１との間に隙間が生じて、漏れが発生したりするといった不具合を回避することができる。
【００３９】
また、継手口２Ａの嵌合凹部２Ｂの内側に、排水管Ｐ１を軸方向に突き当てる必要が無い。このため、外部の温度変化による排水管Ｐ１の軸方向の膨張や、排水管Ｐ１の振動および撓みといった変形が継手口２Ａに伝わるのを抑え、継手本体２の経年劣化を抑えることができる。
【００４０】
（第２実施形態）
次に、図４を参照し、本発明の第２実施形態に係る排水管継手１Ｂについて説明する。なお、以下の各実施形態において、第１実施形態と同一の構成については同一の符号を付してその説明は省略し、異なる点についてのみ説明する。
本実施形態に係る排水管継手１Ｂでは、継手本体２Ｃにおける継手口２Ａの外周面に、ねじ部材２０が螺着される雄ねじ部１２が形成されている。そして、連結部材３Ｂの調整筒１０には雄ねじ部１２が形成されていない。すなわち、ねじ部材２０は継手口２Ａに取付けられる。
【００４１】
以上説明したように、本実施形態に係る排水管継手１Ｂによれば、継手口２Ａの外周面に、ねじ部材２０が螺着される雄ねじ部１２が形成されている。このため、ねじ部材２０を、継手口２Ａの雄ねじ部１２に螺着すると、調整筒１０を継手口２Ａとねじ部材２０とにより軸方向に挟み込むことで、強固に継手口２Ａに固着することができる。また、調整筒１０に雄ねじ部１２を形成する必要が無いので、調整筒１０が軸方向にかさ張るのを抑え、連結部材３を軸方向にコンパクトな構成とすることができる。
【００４２】
なお、本発明の技術的範囲は前記実施形態に限定されるものではなく、本発明の趣旨を逸脱しない範囲において種々の変更を加えることが可能である。
【００４３】
例えば、上記実施形態においては、継手本体２、２Ｃおよび連結部材３、３Ｂが別体に形成された構成を示したが、このような態様に限られない。例えば、継手本体２の継手口２Ａに、連結部材３の調整筒１０が一体に形成されてもよい。
【００４４】
また、上記各実施形態においては、調整筒１０の周壁に、軸方向に延びるスリット１４が、周方向に間隔をあけて複数形成された構成を示したが、このような態様に限られない。例えば、調整筒１０の縮径部１３が弾性材料により形成されることで、内径の大きさが調整される構成としてもよいし、調整筒１０の周壁に、スリット１４が１つだけ形成されてもよい。
【００４５】
また、上記各実施形態においては、スリット１４の周方向の大きさが、上流側に向かうに従い漸次、大きくなっている構成を示したが、このような態様に限られない。スリット１４の周方向の大きさは、軸方向の全域にわたって均一であってもよい。
【００４６】
また、上記各実施形態においては、調整筒１０に形成され、かつ周方向に互いに隣り合う閉塞面１４Ａ同士が、調整筒１０が完全に縮径した際に、互いに当接する構成を示したが、このような態様に限られない。周方向に互いに隣り合う閉塞面１４Ａ同士は、調整筒１０が完全に縮径した際に、互いに当接しなくてもよい。
【００４７】
また、上記各実施形態においては、閉塞面１４Ａが、径方向の外側に向かうに従い漸次、周方向のうち、ねじ部材２０が継手口２Ａに螺着される方向に向けて延びている構成を示したが、このような態様に限られない。閉塞面１４Ａは、例えば径方向と直交する方向を向いて延びていてもよい。
【００４８】
その他、本発明の趣旨を逸脱しない範囲で、前記実施形態における構成要素を周知の構成要素に置き換えることは適宜可能であり、前記した変形例を適宜組み合わせてもよい。
【符号の説明】
【００４９】
１、１Ｂ  排水管継手
２、２Ｃ  継手本体
３、３Ｂ  連結部材
１０  調整筒
１４  スリット
１４Ａ  閉塞面
２０  ねじ部材
【図１】
2019060167.tif 000003
【図２】
2019060167.tif 000004
【図３】
2019060167.tif 000005
【図４】
2019060167.tif 000006